(57)【要約】【課題】低コストで意匠性が良好にできるとともに止水性能を向上させることができる建具を提供すること。【解決手段】下枠６の延出片部６４の下方に水が入ったとしても、この水を下枠アタッチメント１０の水受け面１１で受け止め、受け止めた水を排水溝部２２を介して屋外空間に排水することができるので、建物躯体側への水の浸入を防止して止水性能を向上させることができる。また、下枠アタッチメント１０が窓台よりも下方に位置して屋内側に露出しないことから、建具の意匠性が良好にできるとともに、延出片部６４の下方を覆う程度の大きさで下枠アタッチメント１０が形成されていればよいので、その材料の使用量が抑制できて低コスト化を図ることができる。【選択図】図３
2010222844.tif 000002
【特許請求の範囲】
【請求項１】
建物躯体に固定される枠体と、この枠体に支持される面材とを備え、屋内空間と屋外空間とを仕切る建具であって、
前記枠体は、上枠、下枠および左右の縦枠を四周枠組みして構成され、
前記下枠は、建物躯体から立ち上がるとともに屋内側に延びて内装材上面に当接される延出片部と、この延出片部および内装材の下方に位置する水受け部とを有して構成され、
前記水受け部には、前記枠体または前記建物躯体の一部を貫通して屋外空間まで延びる排水部材が接続されている建具。
【請求項２】
前記縦枠は、前記建物躯体に沿って見込み方向に延びる見込み面部と、この見込み面部の屋外側に連続して見付け方向外側に延びる見付け面部とを有して形成され、
前記水受け部は、前記下枠の延出片部の長手方向端部よりも見付け方向外側まで延びて形成され、前記排水部材は、前記縦枠における見込み面部の外側に沿うとともに前記見付け面部を貫通して屋外空間まで延びて設けられている請求項１に記載の建具。
【請求項３】
前記縦枠は、前記見付け面部の屋外側を覆うカバー部と、これらの見付け面部とカバー部とで囲まれる縦枠中空部とを有し、この縦枠中空部に前記排水部材の屋外側端部が位置して設けられている請求項２に記載の建具。
【請求項４】
前記水受け部は、前記延出片部の屋内側端縁よりも屋内側に延びるとともに前記内装材を下方から支持可能に設けられている請求項１から請求項３のいずれかに記載の建具。
【請求項５】
前記延出片部は、屋内側に延びて前記内装材に当接する上面部と、この上面部の屋外側に連続して立ち下がる立下り面部とを有して形成され、前記水受け部は、前記立下り面部よりも屋外側まで延びて設けられている請求項１から請求項４のいずれかに記載の建具。
【発明の詳細な説明】
【技術分野】
【０００１】
本発明は、枠体と面材とを備える建具に関する。
【背景技術】
【０００２】
従来、建具として、建物躯体に固定される枠体と、この枠体の内側に支持される障子とを備えた窓が利用されており、枠体の屋内側に付着する結露水を排水する構造が提案されている（例えば、特許文献１参照）。
特許文献１に記載された排水構造では、枠体の下側において建物躯体との間に、下枠よりも長手方向左右両側に張り出しかつ屋内側に張り出した結露水受部が設けられ、この結露水受部で受け止めた結露水が下枠の下側を通って屋外側に排水されるようになっている。
【先行技術文献】
【特許文献】
【０００３】
【特許文献１】実公昭６０−２２２１５号公報
【発明の概要】
【発明が解決しようとする課題】
【０００４】
ところで、特許文献１に記載されたような従来の建具では、結露水受部が下枠の左右および屋内側に張り出して設けられるため、結露水受部が大型化してしまい、使用材料が増加してコストが高くなるとともに、屋内側に露出することから意匠性が劣るという不都合がある。さらに、従来の建具では、結露水受部を貫通するビスによって下枠を建物躯体に固定する必要があることから、この貫通部分を通って躯体側に水が浸入する可能性があり、止水性の点で問題がある。
【０００５】
本発明の目的は、低コストで意匠性が良好にできるとともに止水性能を向上させることができる建具を提供することにある。
【課題を解決するための手段】
【０００６】
本発明の建具は、建物躯体に固定される枠体と、この枠体に支持される面材とを備え、屋内空間と屋外空間とを仕切る建具であって、前記枠体は、上枠、下枠および左右の縦枠を四周枠組みして構成され、前記下枠は、建物躯体から立ち上がるとともに屋内側に延びて内装材上面に当接される延出片部と、この延出片部および内装材の下方に位置する水受け部とを有して構成され、前記水受け部には、前記枠体または前記建物躯体の一部を貫通して屋外空間まで延びる排水部材が接続されていることを特徴とする。
【０００７】
このような本発明によれば、下枠の延出片部の下方に水受け部を設けたことで、延出片部が接続される内装材としての床材や額縁材、窓台などよりも下方に水受け部が位置し、この水受け部が屋内側に露出しないことから、建具の意匠性が良好にできる。また、延出片部に対応してその下方に水受け部が設けられていればよく、このような水受け部の大きさが小さくできることから、その材料の使用量が抑制できて低コスト化を図ることができる。さらに、枠体や建物躯体の一部を貫通して屋外側に延びる排水部材としても、排水量に応じた適宜な大きさであればよいので、使用材料の増加を招くことなく低コスト化を促進させることができる。そして、延出片部と内装材との間から水が浸入したとしても、この水を水受け部で受け止めるとともに、排水部材を介して屋外側に排水することができ、建物躯体側への水の浸入を防止して止水性能を向上させることができる。
【０００８】
この際、本発明の建具では、前記縦枠は、前記建物躯体に沿って見込み方向に延びる見込み面部と、この見込み面部の屋外側に連続して見付け方向外側に延びる見付け面部とを有して形成され、前記水受け部は、前記下枠の延出片部の長手方向端部よりも見付け方向外側まで延びて形成され、前記排水部材は、前記縦枠における見込み面部の外側に沿うとともに前記見付け面部を貫通して屋外空間まで延びて設けられていることが好ましい。
このような構成によれば、下枠の延出片部の長手方向端部よりも外側まで水受け部を延ばして配置したことで、延出片部の端部と縦枠のアングル部等との交差位置から水が浸入したとしても、この水を水受け部で受け止めて排水することができ、止水性能をさらに向上させることができる。そして、縦枠の見込み面部の外側に沿うとともに見付け面部を貫通して排水部材を設けたことで、排水部材を比較的自由な高さに設置することができるとともに、建物躯体とも干渉しにくくできることから、建具の建て込みにおける施工性を良好にすることができる。
【０００９】
さらに、本発明の建具では、前記縦枠は、前記見付け面部の屋外側を覆うカバー部と、これらの見付け面部とカバー部とで囲まれる縦枠中空部とを有し、この縦枠中空部に前記排水部材の屋外側端部が位置して設けられていることが好ましい。
このような構成によれば、縦枠中空部に排水部材の屋外側端部を位置させ、その屋外側をカバー部で覆うことで、排水部材が屋外側から見えなくできて意匠性をさらに向上させることができる。そして、排水部材からの水が縦枠中空部の下方から屋外空間に排水されることで、枠体の屋外面や外壁面などを水が伝って落ちることがなく、枠体の屋外面や外壁面の汚れを防止して美観を維持することができる。
【００１０】
また、本発明の建具では、前記水受け部は、前記延出片部の屋内側端縁よりも屋内側に延びるとともに前記内装材を下方から支持可能に設けられていることが好ましい。
このような構成によれば、水受け部によって内装材を下方から支持することで、内装材と延出片部とを確実に当接させて隙間が開くことが防止でき、その隙間からの水の浸入をが抑制されることから止水性能を一層向上させることができる。また、浴室に設けられる窓のように、延出片部と内装材（額縁や窓台）とがシール材でシールされているような場合には、内装材を水受け部で支持することで、シール材の変形を抑制して劣化やシール切れを防止することができ、シール材による止水性を確保するとともに、万一、シール材部分から水が入ったとしても、前述のように水受け部および排水部材によって排水することで躯体側への浸入を防止することができる。
【００１１】
また、本発明の建具では、前記延出片部は、屋内側に延びて前記内装材に当接する上面部と、この上面部の屋外側に連続して立ち下がる立下り面部とを有して形成され、前記水受け部は、前記立下り面部よりも屋外側まで延びて設けられていることが好ましい。
このような構成によれば、延出片部の立下り面部よりも屋外側まで延びて水受け部を設けたことで、立下り面部に沿って水が流れ落ちたとしても、この水を水受け部で受け止めることができ、躯体側への浸入をさらに確実に防止することができる。
【発明の効果】
【００１２】
以上のような本発明の建具によれば、下枠の延出片部および内装材の下方に水受け部を設け、この水受け部と接続した排水部材を介して屋外側に排水することで、水受け部や排水部材の部材サイズを必要以上に大きくする必要がなく、部材数量を抑制して低コスト化を図るとともに、水受け部や排水部材が露出しないようにして意匠性を向上させることができる。そして、延出片部と内装材との間から水が入ったとしても、この水を水受け部で受け止めてから排水部材を介して屋外側に排水することができ、建物躯体側への水の浸入を防止して止水性能を向上させることができる。
【図面の簡単な説明】
【００１３】
【図１】本発明の一実施形態に係る建具の一部を示す縦断面図である。
【図２】前記建具の一部を示す横断面図である。
【図３】前記建具の枠体を示す斜視図である。
【図４】前記建具の要部を拡大して示す斜視図である。
【図５】前記建具の要部を示す側面図である。
【図６】前記建具における排水構造を示す分解斜視図である。
【図７】前記建具の一部を屋外側から見た斜視図である。
【図８】本発明の変形例に係る建具の一部を示す縦断面図である。
【図９】本発明の他の変形例に係る建具の一部を示す縦断面図である。
【発明を実施するための形態】
【００１４】
以下、本発明の一実施形態を図面に基づいて説明する。
図１〜図３において、本実施形態の建具である窓１は、屋内空間である浴室と屋外空間とを仕切る引違い窓であって、壁パネルや軸組、下地材などの建物躯体Ｓに固定される枠体としての窓枠２と、この窓枠２に開閉可能に支持される２枚の障子３，４および網戸５とを備えて構成されている。窓枠２は、図示しない上枠、下枠６および左右の縦枠７を四周枠組みして構成されている。下枠６の浴室側には、内装材である窓台Ｄが設けられ、縦枠７の浴室側には、内装材である額縁Ｇが設けられており、これらの窓台Ｄおよび額縁Ｇが浴室の壁Ｗに接続されている。
【００１５】
下枠６は、アルミ形材製の屋内部材６Ａおよび屋外部材６Ｂと、これらを連結する樹脂製の断熱部材６Ｃとを有した断熱枠材であって、屋内部材６Ａに浴室側の障子３がスライド自在に支持され、屋外部材６Ｂに屋外側の障子４および網戸５がスライド自在に支持されるようになっている。屋内部材６Ａは、建物躯体Ｓに載置される支持片部６１および底面部６２と、これらを連結する屋内側側面部６３と、底面部６２から立ち上がるとともに浴室側に延びる延出片部６４とを有して形成されている。延出片部６４は、浴室側に延びて窓台Ｄの上面に当接する上面部６４Ａと、この上面部６４Ａの屋外側から立ち下がって底面部６２に連続する立下り面部６４Ｂとを有して形成されている。そして、延出片部６４の上面部６４Ａの浴室側端縁と窓台Ｄとは、シール材６４Ｃによって止水処理が施されている。屋外部材６Ｂは、建物躯体Ｓに載置される支持部６５と、支持部６５よりも屋外側にて建物躯体Ｓに固定される固定片部６６とを有して形成されている。また、下枠６は、後述する水受け部としての下枠アタッチメント１０を有して構成され、この下枠アタッチメント１０の左右両端部には、各１つずつの排水部材２０が接続されている。
【００１６】
縦枠７は、アルミ形材製の屋内部材７Ａおよび屋外部材７Ｂと、これらを連結する樹脂製の断熱部材７Ｃとを有した断熱枠材で構成されている。屋内部材７Ａは、建物躯体Ｓに沿って見込み方向に延びる見込み面部７１と、この見込み面部７１から折れ曲がって浴室側に延びるアングル部７２とを有して形成されている。そして、アングル部７２は、その下端縁が下枠６の延出片部６４に当接されるとともに、その浴室側端縁と額縁Ｇとがシール材７２Ａによって止水処理されている。屋外部材７Ｂは、建物躯体Ｓに沿って見込み方向に延びる見込み面部７３と、この見込み面部７３の屋外側に連続して見付け方向外側に延びる見付け面部７４と、この見付け面部７４の屋外側を覆うカバー部７５と、これらの見付け面部７４とカバー部７５とで囲まれる縦枠中空部７６とを有して形成されている。そして、屋外部材７Ｂの見付け面部７４が建物躯体Ｓに固定されている。また、縦枠７の見込み面部７１，７３の見付け方向外側に沿って排水部材２０が設けられるとともに、この排水部材２０の屋外側端部は、見付け面部７４を貫通して縦枠中空部７６に位置して設けられている。
【００１７】
下枠アタッチメント１０は、アルミ形材製の長尺部材であって、下枠６の長手方向に沿って延出片部６４および窓台Ｄの下方に設けられるとともに、屋内側側面部６３にビス止め固定されている。この下枠アタッチメント１０は、図４〜図６にも示すように、延出片部６４および窓台Ｄの下方に対向するとともに屋外側に下がり勾配を有した水受け面１１と、水受け面１１の浴室側端縁から立ち上がる屋内側立上片１２と、この屋内側立上片１２に連続して水受け面１１よりも下方に延びて屋外側に折れ曲がる屋内側係合片１３と、水受け面１１の屋外側端縁から立ち上がる屋外側立上片１４と、この屋外側立上片１４に連続して水受け面１１よりも下方に延びて屋内側に折れ曲がる屋外側係合片１５と、屋外側係合片１５よりも下方に延びて屋内側側面部６３に固定される固定片１６とを有して形成されている。
【００１８】
また、下枠アタッチメント１０には、屋内側立上片１２および屋内側係合片１３に沿って固定されて上方に延びるとともに、屋外側に折れ曲がって窓台Ｄの下面に当接する板ばね１７が設けられている。この板ばね１７は、延出片部６４の浴室側端縁と上下に対向する位置にて窓台Ｄの下面に当接し、窓台Ｄを上方に付勢することで、窓台Ｄを延出片部６４に押圧して挟持するようになっている。なお、窓台Ｄを下方から支持する構成としては、板ばね１７に限らず、屋内側立上片１２を上方に延ばした上端縁を窓台Ｄに当接させた構成であってもよいし、さらにはゴムやスポンジ等の止水性を有した弾性部材を下枠アタッチメント１０と窓台Ｄとの間に介挿した構成であってもよい。また、下枠アタッチメント１０の屋外側立上片１４は、下枠６の屋内側側面部６３に沿って当接されるとともに、延出片部６４の立下り面部６４Ｂよりも屋外側に位置して設けられている。さらに、下枠アタッチメント１０の左右両端部は、下枠６の延出片部６４と縦枠７のアングル部７２との交差位置よりも見付け方向外側まで延びて設けられている。
【００１９】
排水部材２０は、樹脂製の一体成形部材であって、下枠アタッチメント１０の側端縁を塞ぐ閉塞部２１と、この閉塞部２１に連続して屋外側に延びて下がり勾配を有した排水溝部２２と、閉塞部２１からを有して下枠アタッチメント１０側に延びる圧入部２３とを有して形成されている。排水部材２０は、圧入部２３を水受け面１１と屋内側および屋外側の係合片１３，１５との間に圧入することで、下枠アタッチメント１０に係合して取り付けられている。そして、下枠アタッチメント１０に取り付けた状態において、閉塞部２１は、水受け面１１および屋内側立上片１２の端縁に当接するようになっている。さらに、排水部材２０には、閉塞部２１の屋外側に設けられる切り欠き状の導水部２４と、この導水部２４を挟んで閉塞部２１の屋外側に対向して立ち上がる突出片部２５とが形成されている。そして、導水部２４の底辺が水受け面１１と略同一高さ位置に設けられて水受け面１１の水を排水溝部２２側に案内するとともに、突出片部２５が屋外側立上片１４の端縁に当接するようになっている。
【００２０】
排水溝部２２は、図４および図５に示すように、縦枠７の見込み面部７１，７３の見付け方向外側に沿って屋外側に延びるとともに、見付け面部７４に設けた貫通孔７４Ａを貫通して縦枠中空部７６に先端が突出するように設けられている。この縦枠中空部７６は、図７にも示すように、下端部が縦枠底面部７７で塞がれているとともに、カバー部７５の下端部に設けられた排水孔７５Ａを介して屋外空間に連通されている。従って、下枠アタッチメント１０の水受け面１１で受け止めた水は、排水部材２０の導水部２４を介して排水溝部２２に落下して屋外側に流れ、その先端から縦枠中空部７６を落下して縦枠底面部７７に落ち、排水孔７５Ａから屋外空間に排水されるようになっている。
【００２１】
以上のように、下枠６の延出片部６４と窓台Ｄとがシール材６４Ｃによって止水処理されていることで、浴室内部で使用した水等が下枠６下方の建物躯体Ｓ側に浸入しないようになっている。また、下枠アタッチメント１０に取り付けた板ばね１７で窓台Ｄを下方から支持することで、窓台Ｄと延出片部６４との相対移動が抑制されるので、シール材６４Ｃの劣化や破損を防止して止水性能が維持できるようになっている。そして、万一、シール材６４Ｃが切れて窓台Ｄと延出片部６４との間に水が入ったとしても、この水は、下枠アタッチメント１０の水受け面１１に受け止められて、前述のように排水部材２０を介して屋外空間に排水されるので、建物躯体Ｓ側への水の浸入を防止して止水性能を向上させることができる。
【００２２】
また、下枠アタッチメント１０は、延出片部６４の下方を覆う程度の大きさで形成されていればよく、下枠６全体を覆う大きさにする必要がないので、その材料の使用量が抑制できるとともに、排水部材２０も、設定する排水量に応じた適宜な大きさであればよいので、使用材料の増加を招くことなく低コスト化を図ることができる。そして、下枠アタッチメント１０が延出片部６４の立下り面部６４Ｂよりも屋外側まで延びて設けられているので、浸入した水が立下り面部６４Ｂを伝って流れ落ちたとしても、この水を下枠アタッチメント１０で確実に受け止めることができる。また、排水部材２０が樹脂製であることで、窓枠２が断熱枠である場合でも屋内外の熱の伝達を抑制することができ、窓１の断熱性能が確保できる。
【００２３】
なお、本発明は前記実施形態の構成に限定されるものではない。
例えば、前記実施形態では、浴室用の建具としての窓１を例示して説明したが、本発明の建具は、浴室用のものに限らず、一般の窓に用いられるものであってもよいし、また出入り口などに用いられるものであってもよい。また、前記実施形態では、スライド開閉可能な２枚の障子３，４を有した窓１について説明したが、これに限らず、本発明の建具は、スライド開閉可能に設けられた１枚の障子を有した片引き形式の窓や戸でもよいし、また障子や戸が回動して開閉する開き窓や開き戸、あるいは面材が開閉不能に支持された嵌め殺し窓などであってもよい。
【００２４】
また、前記実施形態では、下枠６の延出片部６４と当接する内装材として窓台Ｄを例示したが、内装材としては窓台Ｄに限らず、床材であってもよく、この場合の建具としては、掃き出し形式の窓や出入り口が構成できる。
また、前記実施形態では、下枠６の屋内部材６Ａとは別体の下枠アタッチメント１０で水受け部を構成したが、これに限らず、下枠と一体の水受け部を形成してもよい。さらに、下枠と別体とする場合には、水受け部を構成する材質はアルミ形材等の金属製に限らず、樹脂などの異種材料から水受け部を構成してもよい。また、排水部材２０としても、樹脂製に限らず、金属などの適宜な材質で排水部材を構成してもよい。
【００２５】
また、前記実施形態では、排水部材２０を縦枠７の見込み面部７１，７３の見付け方向外側に沿い、見付け面部７４を貫通して設けたが、これに限らず、以下の図８および図９に示すような位置に排水部材を設けてもよい。
図８において、排水部材２０Ａは、管状の部材で構成され、下枠アタッチメント１０の水受け面１１に開口するとともに、下枠６の屋内側側面部６３、支持片部６１および支持部６５を貫通して屋外側に延び、下枠６の屋外レール６７の基端部を貫通して屋外空間に開口して設けられている。
図９において、排水部材２０Ｂは、管状の部材で構成され、下枠アタッチメント１０の水受け面１１に開口するとともに、建物躯体Ｓを貫通して屋外側に延び、外壁材を貫通して屋外空間に開口して設けられている。
このような排水部材２０Ａ，２０Ｂによっても前述した実施形態と同様の作用、効果を得ることができる。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２７】
１…ドア（建具）、２…窓枠（枠体）、３，４…障子（面材）、６…下枠、７…縦枠、１０…下枠アタッチメント（水受け部）、２０，２０Ａ，２０Ｂ…排水部材、６４…延出片部、６４Ａ…上面部、６４Ｂ…立下り面部、６４Ｃ…シール材、７１，７３…見込み面部、７４…見付け面部、７５…カバー部、７６…縦枠中空部、Ｄ…窓台（内装材）、Ｓ…建物躯体。
【図１】
2010222844.tif 000003
【図２】
2010222844.tif 000004
【図３】
2010222844.tif 000005
【図４】
2010222844.tif 000006
【図５】
2010222844.tif 000007
【図６】
2010222844.tif 000008
【図７】
2010222844.tif 000009
【図８】
2010222844.tif 000010
【図９】
2010222844.tif 000011